(57)【要約】衣類が伸張されると圧力指標を表示する２層式着圧衣類測定システムであって、圧力指標は、不透明な材料層の下の（低圧力または無圧力における）位置から、窓または透明または半透明な材料層の下の（より高い圧力における）位置に移動することによって表示される。指標が窓または透明または半透明な層を通して観察者によって見られ得る場合、より高い圧力に到達している。視認されている指標は、随意に、圧力レベルを表示する。種々の随意の設計では、２つの離間されている場所の間の取り付け場所は、調節可能であり、または上側層の長さは、取り付け場所が前記指標と整列させられ得るように調節可能である。自由端付き上側層を有する設計もまた、含まれる。
2015519572.tif 000002
【特許請求の範囲】
【請求項１】
２層式着圧測定システムであって、前記２層式着圧測定システムは、
（ａ）伸縮可能基部層であって、指標を前記伸縮可能基部層の上に有する、伸縮可能基部層と、
（ｂ）前記伸縮可能基部層の上部の上に位置付けられている伸縮可能上側層であって、
（ｉ）前記伸縮可能上側層は、端部と端部とが接して取り付けられている第１の部分および第２の部分を備え、前記第１の部分と前記第２の部分とは、異なる剛性を有し、
（ｉｉ）前記伸縮可能上側層は、２つの離間されている場所において前記伸縮可能基部層に取り付けられ、前記上側層の前記第１の部分は、第１の場所において前記基部層に取り付けられ、前記基部層の前記第２の部分は、第２の場所において前記基部層に取り付けられ、
（ｉｉｉ）前記上側層の前記第１の部分は、ユーザが前記基部層上の前記指標を見ることができるように、前記第１の部分を通して視認することを可能にする、
伸縮可能上側層と
を備える、２層式着圧測定システム。
【請求項２】
前記上側層の前記第１の部分または前記第２の部分は、前記第１の部分または前記第２の部分を通過する窓を有し、前記ユーザは、前記第１の部分における前記窓を通して前記指標を視認することができる、請求項１に記載の２層式着圧測定システム。
【請求項３】
前記上側層の前記第１の部分または前記第２の部分は、透明または半透明であり、前記上側層の前記第２の部分は、不透明であり、前記ユーザは、前記透明または半透明の第１の部分を通して前記指標を視認することができる、請求項１に記載の２層式着圧測定システム。
【請求項４】
前記基部層上の前記指標は、複数の指標を備え、前記基部層が伸張される量に応じて、異なる指標が、前記上側層の前記第１の部分または前記第２の部分を通して視認可能である、請求項１に記載の２層式着圧測定システム。
【請求項５】
異なる指標が、異なる所定の着圧レベルにおいて視認される、請求項４に記載の２層式着圧測定システム。
【請求項６】
前記上側層の前記第１の部分は、非弾性であって、前記上側層の前記第２の部分は、弾性である、請求項１に記載の２層式着圧測定システム。
【請求項７】
前記上側層の前記第１の部分および前記第２の部分は、下で前記基部層が伸張するにつれて一緒に伸張する、請求項１に記載の２層式着圧測定システム。
【請求項８】
前記指標は、前記測定システムが伸張される前、前記上側層の前記第２の部分の下に位置付けられ、前記ユーザには不可視であり、
前記指標は、前記測定システムが伸張された後、前記上側層の前記第１の部分の下に位置付けられ、したがって、前記ユーザに可視である、
請求項１に記載の２層式着圧測定システム。
【請求項９】
測定システムを有する着圧衣類であって、
患者の肢の周りに巻き付けられるように適合させられている着圧衣類であって、前記着圧衣類は、本体を備え、前記本体は、前記本体から延びる複数のバンドを有し、前記バンドのうちの少なくとも１つは、２層式着圧測定システムを含み、前記２層式着圧測定システムは、
（ａ）伸縮可能基部層であって、指標を前記伸縮可能基部層の上に有する、伸縮可能基部層と、
（ｂ）前記伸縮可能基部層の上部の上に位置付けられている伸縮可能上側層であって、
（ｉ）前記伸縮可能上側層は、端部と端部とが接して取り付けられている第１の部分および第２の部分を備え、前記第１の部分と前記第２の部分とは、異なる剛性を有し、
（ｉｉ）前記伸縮可能上側層は、２つの離間されている場所において前記伸縮可能基部層に取り付けられ、前記上側層の前記第１の部分は、第１の場所において前記基部層に取り付けられ、前記基部層の前記第２の部分は、第２の場所において前記基部層に取り付けられ、
（ｉｉｉ）前記上側層の前記第１の部分は、ユーザが前記基部層上の前記指標を見ることができるように、前記第１の部分を通して視認することを可能にする、
伸縮可能上側層と
を備える、
着圧衣類。
【請求項１０】
測定システムを有する着圧衣類であって、前記着圧衣類は、
管状着圧衣類と、
前記管状着圧衣類の外部上に形成されている２層式着圧測定システムと
を備え、
前記２層式着圧測定システムは、
（ａ）伸縮可能基部層であって、指標を前記伸縮可能基部層の上に有する、伸縮可能基部層と、
（ｂ）前記伸縮可能基部層の上部の上に位置付けられている伸縮可能上側層であって、
（ｉ）前記伸縮可能上側層は、端部と端部とが接して取り付けられている第１の部分および第２の部分を備え、前記第１の部分と前記第２の部分とは、異なる剛性を有し、
（ｉｉ）前記伸縮可能上側層は、２つの離間されている場所において前記伸縮可能基部層に取り付けられ、前記上側層の前記第１の部分は、第１の場所において前記基部層に取り付けられ、前記基部層の前記第２の部分は、第２の場所において前記基部層に取り付けられ、
（ｉｉｉ）前記上側層の前記第１の部分は、ユーザが前記基部層上の前記指標を見ることができるように、前記第１の部分を通して視認することを可能にする、
伸縮可能上側層と、
を備える、
着圧衣類。
【請求項１１】
前記２層式着圧測定システムの前記基部層は、前記管状着圧衣類の材料の外側層である、請求項１０に記載の着圧衣類。
【請求項１２】
２層式着圧測定システムであって、前記２層式着圧測定システムは、
（ａ）伸縮可能基部層であって、指標を前記伸縮可能基部層の上に有する、伸縮可能基部層と、
（ｂ）前記伸縮可能基部層の上部の上に位置付けられている上側層であって、
（ｉ）前記上側層は、２つの離間されている場所において前記伸縮可能基部層に取り付けられ、
（ｉｉ）前記取り付け場所である前記２つの離間されている場所のうちの少なくとも１つは、前記取り付け場所が前記伸縮可能基部層上の前記指標と整列させられ得るように、調節可能である、
上側層と
を備える、２層式着圧測定システム。
【請求項１３】
前記上側層は、非弾性である、請求項１２に記載の２層式着圧測定システム。
【請求項１４】
前記基部層上の異なる指標は、異なる所定の着圧レベルに対応する、請求項１２に記載の２層式着圧測定システム。
【請求項１５】
前記上側層は、前記２つの離間されている場所の一方において前記伸縮可能基部層に固定して取り付けられ、前記２つの離間されている場所の他方において前記伸縮可能基部層に取り外し可能に取り付けられる、請求項１２に記載の２層式着圧測定システム。
【請求項１６】
前記上側層は、フックおよびループ式ファスナによって、前記伸縮可能基部層に取り外し可能に取り付けられる、請求項１５に記載の２層式着圧測定システム。
【請求項１７】
２層式着圧測定システムであって、前記２層式着圧測定システムは、
（ａ）伸縮可能基部層と、
（ｂ）前記伸縮可能基部層の上部の上に位置付けられている上側層と
を備え、
前記伸縮可能基部層は、前記伸縮可能基部層の上に指標を有し、
（ｉ）前記上側層は、２つの離間されている場所において前記伸縮可能基部層に取り付けられ、
（ｉｉ）前記上側層の長さは、前記取り付け場所が前記上側層上の前記指標と整列させられ得るように、調節可能である、
２層式着圧測定システム。
【請求項１８】
前記上側層は、非弾性である、請求項１７に記載の２層式着圧測定システム。
【請求項１９】
前記基部層上の異なる指標は、異なる所定の着圧レベルに対応する、請求項１７に記載の２層式着圧測定システム。
【請求項２０】
前記上側層の長さは、異なる指標に対応する場所において前記上側層を切断することによって調節可能である、請求項１７に記載の２層式着圧測定システム。
【請求項２１】
２層式着圧測定システムであって、前記２層式着圧測定システムは、
（ａ）伸縮可能基部層であって、指標を前記伸縮可能基部層の上に有する、伸縮可能基部層と、
（ｂ）前記伸縮可能基部層の上部の上に位置付けられている上側層であって、前記伸縮可能基部層に取り付けられる１つの固定端と、前記伸縮可能基部層に取り付けられていない１つの自由端とを有する、上側層と
を備え、
（ｉ）前記伸縮可能基部層上の前記指標は、前記測定システムが伸張される前、前記上側層の前記自由端の下に配置され、ユーザには不可視であるが、
（ｉｉ）前記伸縮可能基部層上の前記指標は、前記測定システムが伸張された後、前記上側層の前記自由端の下から引っ張り出され、したがって、ユーザに可視である、
２層式着圧測定システム。
【請求項２２】
前記上側層は、非弾性である、請求項２１に記載の２層式着圧測定システム。
【請求項２３】
前記基部層上の異なる指標は、異なる所定の着圧レベルに対応する、請求項２１に記載の２層式着圧測定システム。
【請求項２４】
異なる指標は、前記上側層の前記自由端の下から引っ張り出され、前記異なる所定の着圧レベルにおいてユーザに可視である、請求項２３に記載の２層式着圧測定システム。
【請求項２５】
２層式着圧測定システムであって、前記２層式着圧測定システムは、
（ａ）伸縮可能基部層であって、指標を前記伸縮可能基部層の上に有する、伸縮可能基部層と、
（ｂ）前記伸縮可能基部層の上部の上に位置付けられている上側層であって、前記上側層は、指標を前記上側層の上に有し、前記上側層は、前記伸縮可能基部層に取り付けられている両端を有し、前記伸縮可能基部層上の前記指標は、前記測定システムが伸張されると、前記上側層上の前記指標に対して整列するように移動する、上側層と
を備える、２層式着圧測定システム。
【請求項２６】
２層式着圧測定システムであって、前記２層式着圧測定システムは、
（ａ）伸縮可能基部層であって、指標を前記伸縮可能基部層の上に有する、伸縮可能基部層と、
（ｂ）前記伸縮可能基部層の上部の上に位置付けられている上側層と
を備え、
（ｉ）前記上側層は、２つの離間されている場所において前記伸縮可能基部層に取り付けられ、それによって、前記上側層が引っ張られきつく張ると、前記伸縮可能基部層における伸張を制限する、
２層式着圧測定システム。
【発明の詳細な説明】
【技術分野】
【０００１】
関連出願
本出願は、２０１２年５月２９日出願の「Ｇｒａｄｕａｔｅｄ  Ｃｏｍｐｒｅｓｓｉｏｎ  Ｆｏｒ  Ｔｈｅ  Ｔｒｅａｔｍｅｎｔ  Ｏｆ  Ｃｉｒｃｕｌａｔｏｒｙ  Ｄｉｓｏｒｄｅｒｓ  Ｓｕｃｈ  Ａｓ  Ｌｙｍｐｈｅｄｅｍａ  ａｎｄ  Ｖｅｎｕｓ  Ｄｉｓｅａｓｅ」と題される米国仮特許出願第６１／６５２，８１０号への優先権を主張し、その米国特許仮出願の全開示は、本明細書で参照によってその全体が全ての目的のために援用される。
【０００２】
技術分野
本発明は、治療用着圧衣類およびこれらの衣類における着圧力を測定するためのシステムに関する。
【背景技術】
【０００３】
本発明の背景
着圧療法は、リンパ浮腫および静脈疾患のための一般的治療である。治療用圧力を患者の肢に印加するための多数の着圧衣類が、存在する。これらの衣類は、患者の腕または脚の周りに巻き付き、着圧力を患部肢に印加する。これらの衣類は、肢の周りで伸張されるにつれて、着圧力を印加する。ラプラスの法則によると、印加される着圧は、張力、肢円周、および衣類／バンドの幅の関数である。これらの衣類がより伸張される（かつそれらが作製されている材料が剛性である）ほど、より大きな着圧力が肢に印加される。その結果、着圧レベルは、材料における伸張の量に直接的に関係する。
【０００４】
研究によって、ある着圧レベルが異なる循環系の病気を治療するために最適であることが、示されている。特定の既知のレベルの着圧を肢に印加する利点は証明されているので、印加されている着圧のレベルを正確に測定することができるデバイスへの必要性がある。過去、そのような着圧測定デバイスは、測定カード（衣類が伸張されにつれて増加する衣類上の指標間の距離を測定する）を含んでいた。本システムの例は、Ｃｉｒｃａｉｄ  Ｍｅｄｉｃａｌ（Ｓａｎ  Ｄｉｅｇｏ，  Ｃａｌｉｆｏｒｎｉａ）によって所有されている米国特許第６，３３８，７２３号に見出される。他の測定システムは、米国特許第３，６１３，６７９号および第７，９４２，８３８号に見出される。しかしながら、使用がより単純かつより容易なシステムが、望ましい。
【０００５】
特定すると、所望されるのは、患者への着圧レベルを直ちに示すビルトインシステムを有する着圧衣類である。そのような新しいシステムは、使用が簡便であり、正確であり、かつ別個の較正ツールを必要するべきではない。下記で説明されるように、本発明は、そのようなシステムを提供する。
【先行技術文献】
【特許文献】
【０００６】
【特許文献１】米国特許第６，３３８，７２３号明細書
【特許文献２】米国特許第３，６１３，６７９号明細書
【特許文献３】米国特許第７，９４２，８３８号明細書
【発明の概要】
【課題を解決するための手段】
【０００７】
本発明は、ビルトイン測定システムを有する着圧衣類を提供する。この測定システムは、巻き付けられている衣類のバンドに埋め込まれるか、または管状衣類の側面に埋め込まれるかのいずれであってもよい。
【０００８】
１つの好ましい局面では、本発明は、２層式着圧測定システムを提供し、このシステムは、
（ａ）伸縮可能基部層であって、指標をこの伸縮可能基部層の上に有する、伸縮可能基部層と、
（ｂ）伸縮可能基部層の上部の上に位置付けられている伸縮可能上側層と
を備え、
（ｉ）伸縮可能上側層は、端部と端部とが接して取り付けられている第１の部分および第２の部分を備え、第１の部分および第２の部分は、異なる剛性を有し、
（ｉｉ）伸縮可能上側層は、２つの離間された場所において伸縮可能基部層に取り付けられ、上側層の第１の部分は、第１の場所において基部層に取り付けられ、基部層の第２の部分は、第２の場所において基部層に取り付けられ、
（ｉｉｉ）上側層の第１の部分は、ユーザが基部層上の指標を見ることができるように、その第１の部分を通して視認することを可能にする。
【０００９】
用語「指標」は、明細書および特許請求の範囲の両方において、本明細書で使用されるように単一の指標マーキングも指すことが、理解されるべきである。したがって、「指標」について記載する請求項はまた、１つの指標のみを有する本発明の実施形態をカバーする。
【００１０】
本発明のこの局面では、上側層の第１の部分は、その第１の部分を通過する窓を有し、ユーザは、窓を通して指標を視認する。本発明の別の局面では、上側層の第２の部分は、透明または半透明であり、上側層の第１の部分は、不透明であり、ユーザは、透明または半透明の第２の部分を通して指標を視認する。
【００１１】
ユーザが衣類を伸張させるにつれて、基部層上の指標は、窓または透明／半透明の層の下の位置に移動する。これは、基部および上側層が一緒に伸張するが、上側層が異なる剛性の２つの部分から作製されるためである。その結果、部分のうちの一方は、他方よりも伸張する。これは、下にある基部層上の指標に対する窓または透明／半透明のあまり伸張しない層の相対的移動としてユーザに対して現れるものをもたらす。
【００１２】
他の好ましい局面では、本発明は、基部と上側層とを備える２層式着圧測定システムを提供し、上側層は、２つの離間された場所において伸縮可能基部層に取り付けられ、２つの離間された場所の一方における取り付け場所は、取り付け場所が伸縮可能基部層上の指標と整列させられ得るように調節可能である。
【００１３】
さらに他の局面では、本発明は、基部と上側層とを備える２層式着圧測定システムを提供し、上側層の長さは、取り付け場所が上側層上の指標と整列させられ得るように調節可能である。
【００１４】
さらに他の局面では、本発明は、２層式着圧測定システムを提供し、伸縮可能基部層上の指標は、上側層の自由端の下に配置され、測定システムが伸張される前、ユーザには不可視であるが、測定システムが伸張された後、上側層の自由端の下から引っ張り出され、したがって、ユーザに可視である。
【００１５】
さらに他の局面では、伸縮可能基部層上の指標は、衣類が伸張されるにつれて、指標が上側層に対して移動して現れるように、上側層の側縁から突出する。
【００１６】
随意の好ましい局面では、基部または上側層の上の指標は、異なる張力レベルに対応する一連の指標であることができる。随意に、これらの指標は、数値（例えば、２０ｍｍＨｇ、３０ｍｍＨｇ等）として張力レベルを表示してもよく、または異なる伸張レベルに対応する色であってもよい（例えば、より低い許容可能圧力に対しては緑色、より高い非安全着圧レベルに対しては赤色等）。
【図面の簡単な説明】
【００１７】
【図１Ａ】図１Ａは、使用前の巻き付き式着圧衣類の上面平面図であり、この着圧衣類は、そのバンド内に本測定システムを組み込んでいる。
【００１８】
【図１Ｂ】図１Ｂは、患者の肢に巻き付けられた後の図１Ａの衣類の斜視図である。
【００１９】
【図２】図２は、バンドの任意の伸張の前の、バンドのうちの１つにおける測定システムの拡大斜視図である。
【００２０】
【図３Ａ】図３Ａは、軽い張力がバンドに印加されている図２の測定システムの斜視図である。
【００２１】
【図３Ｂ】図３Ｂは、図３Ａに対応する断面側方立面図である。
【００２２】
【図４Ａ】図４Ａは、より大きな張力がバンドに印加されている図２の測定システムの斜視図である。
【００２３】
【図４Ｂ】図４Ｂは、図４Ａに対応する断面側方立面図である。
【００２４】
【図５】図５は、バンドにおける測定システムの第２の実施形態の斜視図である。
【００２５】
【図６Ａ】図６Ａは、軽い張力がバンドに印加されている図５の測定システムの斜視図である。
【００２６】
【図６Ｂ】図６Ｂは、図６Ａに対応する断面側方立面図である。
【００２７】
【図７Ａ】図７Ａは、より大きな張力がバンドに印加されている図５の測定システムの斜視図である。
【００２８】
【図７Ｂ】図７Ｂは、図７Ａに対応する断面側方立面図である。
【００２９】
【図８Ａ】図８Ａは、管状着圧衣類に配置されている本発明の第３の実施形態の斜視図である。
【００３０】
【図８Ｂ】図８Ｂは、図８Ａに対応する断面上面平面図である。
【００３１】
【図９Ａ】図９Ａは、衣類が患者の肢の周りにフィットするように外向きに伸張された後の、図８Ａの衣類の斜視図である。
【００３２】
【図９Ｂ】図９Ｂは、図９Ａに対応する断面上面平面図である。
【００３３】
【図１０Ａ】図１０Ａは、張力がバンドに印加される前の、バンドに配置されている測定システムの第４の実施形態の斜視図である。
【００３４】
【図１０Ｂ】図１０Ｂは、張力がバンドに印加された後の、図１０Ａに対応する斜視図である。
【００３５】
【図１０Ｃ】図１０Ｃは、図１０Ａに類似するが、上側層の両端は、伸縮可能基部層上に位置付け可能である。
【００３６】
【図１０Ｄ】図１０Ｄは、図１０Ｃに類似するが、上側層の設置に起因して伸張に対しより抵抗性がある。
【００３７】
【図１１Ａ】図１１Ａは、張力がバンドに印加される前の、バンドに配置されている測定システムの第５の実施形態の斜視図である。
【００３８】
【図１１Ｂ】図１１Ｂは、張力がバンドに印加された後の、図１１Ａに対応する斜視図である。
【００３９】
【図１２Ａ】図１２Ａは、張力がバンドに印加される前の、バンドに配置されている測定システムの第６の実施形態の斜視図である。
【００４０】
【図１２Ｂ】図１２Ｂは、張力がバンドに印加された後の、図１２Ａに対応する斜視図である。
【００４１】
【図１３Ａ】図１３Ａは、張力が印加される前の測定システムの第７の実施形態の斜視図であり、ここでは、伸縮可能基部層上の指標が上側層の側縁下から突出する。
【００４２】
【図１３Ｂ】図１３Ｂは、張力が印加された後の、図１３Ａに対応する斜視図であり、上側層に対する指標の移動を示す。
【００４３】
【図１４Ａ】図１４Ａは、張力が印加される前の測定システムの第８の実施形態の斜視図であり、ここでは、上側層の２つの反対端が伸縮可能基部層に取り付けられている。
【００４４】
【図１４Ｂ】図１４Ｂは、張力が印加された後の、図１３Ａに対応する斜視図であり、伸縮可能基部層に対して平坦に引っ張られている上側層を示す。
【発明を実施するための形態】
【００４５】
図１Ａは、着圧衣類の上面平面図であり、この着圧衣類は、本測定システムをそのバンド内に組み込んでいる。特定すると、衣類１０は、それから延びる複数のバンド１４を有する主要本体１２を有する。衣類１０は、Ｖｅｌｃｒｏ（登録商標）フックおよびループ式ファスナを好ましくは備える並置されている相互係止バンド１４を用いて、（図１Ｂに見られるように）患者の肢の周りに巻き付けられる。特定すると、バンド１４の下面（図示せず）にあるＶｅｌｃｒｏ（登録商標）フックおよびループ式ファスナ１５が、衣類の正面にあるＶｅｌｃｒｏ（登録商標）フックおよびループ表面に取り付けられることによって、衣類１０は、患者の肢の周りに巻き付けられる。
【００４６】
図２から図７Ｂおよび図１０Ａから図１３Ｂは全て、図１に示されるように、衣類の１つまたはそれよりも多くのバンド１４に据え付けられている本測定デバイスの拡大図である。しかしながら、本測定デバイスは、任意の好適な着圧システムまたは着圧衣類に組み込まれることができることが、理解されるべきである。
【００４７】
図２は、下記のような本発明の第１の実施形態の斜視図である。着圧測定システム２０は、２層式測定システムである。測定システム２０は、上に指標３０を有する伸縮可能基部層２１と、伸縮可能基部層の上部の上に位置付けられている伸縮可能上側層２２とを備える。重要なこととして、伸縮可能上側層２２は、端部と端部とが接して繋ぎ合わされている第１の部分２４および第２の部分２６を備える。同様に重要なこととして、第１の部分２４および第２の部分２６は、異なる剛性を有する。（例えば、第１の部分２４は、非弾性であってもよく、第２の部分２６は、弾性であってもよい）。図示されるように、第１の部分２４の一端は、基部層２１に取り付け（例えば、縫い付け）られ、第２の部分２６の一端もまた、基部層２１に取り付け（例えば、縫い付け）られる。第１の部分２４および第２の部分２６の他端はまた、同様に図示されるように、一緒に取り付け（例えば、縫い付け）られる。
【００４８】
本発明における２つの層の一方または両方は、そしてまた、一緒に接続されている２つ、３つまたはそれよりも多くの層または区画から作製されてもよく、したがって、明細書および特許請求の範囲における２つの層に対するいかなる言及も、各々が一緒に接続されている１つ、２つ、３つまたはそれよりも多くの層または区画から作製されている少なくとも２つの層を指すことが、理解されるべきである。
【００４９】
指標３０は、基部層２１の上側表面に印刷されても、染色されても、糊着されても、または縫い付けられても、あるいは別様に取り付けられてもよい。１つの好ましい実施形態では、指標３０は、緑色マーキング３２および赤色マーキング３４を備える。他の好ましい実施形態では、指標は、異なる張力レベルを表示するように較正されている張力目盛を備えてもよい。動作において、指標３０は、上部層２２の第１の部分２４における窓２３を通して、ユーザによって見られ得る。
【００５０】
図３Ａおよび図３Ｂは、軽い張力が測定システム２０に印加されていることを示す。この時点において、緑色指標３２が、窓２３を通して視認可能である。
【００５１】
次に、より大きな張力が、図４Ａおよび図４Ｂに見られるように印加される。部分２４は、部分２６よりも剛性がある。その結果、ユニットとして、２つの部分が一緒に伸張されると、第１の部分２４は、第２の部分２６よりも伸張しない。これは、窓２３をそれの下の基部層２１に対して移動させることを生じさせる。したがって、図４Ａおよび図４Ｂから分かるように、より高いレベルの張力がバンド１４に印加されると、赤色マーキング３４が、窓２３を通して代わりに見える。
【００５２】
したがって、バンド１４における張力の変動の結果、異なる張力レベルにおいて、異なる指標が窓２３を通して見える。これは、新規かつ使用が容易な測定システムをユーザに提供する。例えば、ユーザに緑色指標３２が見えるとき、彼らは、張力が安全レベルまたは好ましいレベルにあることを知る。逆に言えば、窓２３を通して赤色指標３４が見えるとき、彼らは、張力が過剰に高いか、または非安全レベルにあることを知る。
【００５３】
指標３０は、許容可能および非許容可能な張力レベルと標識されている２つの較正されているマーキング３２および３４のような単純なものであることができる。しかしながら、指標３０は、代わりに、「高」、「中」、および「低」の張力レベルを有する一連の段階的マーキングを備え得ることが、理解されるべきである。多くの他の可能性もまた、本発明の範囲内で想定される。例えば、指標の設置は、指標が既知の着圧レベルに対応する数字を表示するように較正されることができる。（例えば、窓２３を通して視認可能な指標は、衣類における張力レベルを表す数字、例えば、２０ｍｍＨｇ、３０ｍｍＨｇ、４０ｍｍＨｇ等であることができる）。
【００５４】
図５は、バンドにおける測定システムの第２の実施形態の斜視図である。この実施形態は、上記で説明されている第１の実施形態の動作に非常に類似する。差異は、この第２の実施形態が窓２３を有していないことである。代わりに、第２の部分２６は、指標３０がそれを通して視認可能であるように、透明材料または半透明材料から作製される。この実施形態では、指標３０は、単純に、基部層２２を横切って延びる赤色線３１を備えることができる。図６Ａおよび図６Ｂは、非常に軽い張力の下でのバンドを示す。この時点において、赤色線指標３１は、不透明な第１の部分２４の下に配置される。より大きな張力が、バンド１４に印加されるにつれて、図７Ａおよび図７Ｂに図示されている位置に到達し、赤色線指標３１は、ここで、透明または半透明の第２の部分２６の下に配置される。したがって、赤色線指標３１は、使用が容易な測定システムを提供する。単純に言うと、ユーザに赤色線指標３１が見えているときは常に、衣類が過伸張されていることが分かる。
【００５５】
赤色線指標３１の使用は、本発明の第２の実施形態と併用するために好適な指標の唯一の構成ではないことが、理解されるべきである。例えば、一連の異なる指標（段階的目盛等）が、代わりに使用され得る。例えば、平行な赤色線、黄色線、および緑色線が、「低」、「中」、および「高」の張力を示すために使用され得る。そのようなシステムでは、ユーザは、低圧力では緑色線のみ、中圧力では平行な緑色線および黄色線、高圧力では平行な緑色線、黄色線および赤色線が見える。さらに、着色線の代わりに、実際の着圧レベルが、使用される指標であり得る。したがって、ユーザには、これらの異なる張力レベルにおいて、「２０ｍｍＨｇ」または「３０ｍｍＨｇ」等が見える。
【００５６】
本発明の第３の実施形態は、管状プルオン式着圧衣類において測定システムを使用するものである。これは、下記のように図８〜９Ｂに図示される。図８Ａおよび図８Ｂは、患者の肢を覆ってフィットするように伸張される前の衣類を示す。この段階では、一対の指標３１が、不透明の第１の層２４の下に隠されている。次に、図９Ａおよび図９Ｂに図示されるように、衣類が患者の肢の周りにフィットするように伸張されていると、指標３１が、透明の第２の層２６を通して可視となる。その結果、ユーザは、最大「赤色線」使用限界に到達し、ここでこの限界を超えて衣類を伸張させていることを知る。
【００５７】
透明／半透明（図５〜７Ｂ）実施形態または窓（図２〜４Ｂ）実施形態のいずれも、図８Ａ〜９Ｂに示されている管状着圧衣類と併用され得ることが、理解されるべきである。
【００５８】
本発明の管状実施形態と併用される指標はまた、本発明の他の実施形態に関連して上記で説明されているような段階的目盛またはさらに特定する（ｅｖｅｎ  ｓｐｅｃｉｆｉｃ）張力レベル線（例えば、「２０ｍｍＨｇ」、「３０ｍｍＨｇ」等）であり得ることも、理解されるべきである。
【００５９】
本発明の第４の実施形態が、図１０Ａおよび図１０Ｂに見られる。この実施形態では、伸縮可能基部層２１は、その上に指標３２および３４を有する。上側層２２は、伸縮可能基部層２１の上部の上に位置付けられる。上側層２２は、非弾性であってもよいが、そうである必要はない。（例えば、非弾性であることは、最大着圧レベルにおいて有利であり得るが、ある程度の弾性を有することは、ユーザが必要に応じてより高い着圧を印加することを可能にするという有利さがあり得る。上側層２２は、場所２５に沿って伸縮可能基部層２１に固定（例えば、縫い付けまたは糊着等）されるが、場所２７に沿って（例えば、Ｖｅｌｃｒｏ（登録商標）フックおよびループ式ファスナによって）取り外し可能に取り付けられる（または、場所２７に沿って糊着または縫い付けされる）。したがって、場所２７は、フックおよびループ式ファスナの設置に応じて調節可能である。したがって、ユーザがより緩いフィットを所望する場合、ユーザは、上側層２２の自由端が指標３２と整列されるように、その自由端を取り付ける。次いで、バンド１４が（図１０Ｂの位置まで）伸張されると、上側層２２は、指標３２に沿って留められているその自由端とともに平坦になる。
【００６０】
上側層２２の非弾性的性質は、伸縮可能基部層２１のさらなる伸張を防止する。しかしながら、ユーザがバンドにおけるより大きな着圧を所望する場合、ユーザは、代わりに、上側層の自由端を指標３４と整列させる（すなわち、場所２７を移動させることにより指標３４をカバーする）。その結果、上側層は、張力下でそれ以上伸張することが不可能となる。それによって、指標３２および３４は、異なる所定の着圧レベルに対応する。
【００６１】
図１０Ｃおよび１０Ｄは、類似の実施形態を示すが、上側層２２は、場所２５および２７の両方に沿って（例えば、Ｖｅｌｃｒｏ（登録商標）フックおよびループ式ファスナによって）取り外し可能に取り付けられる。すなわち、その上側層は、場所２５に沿って縫い付けも糊着もされない。その結果、ユーザは、図１０Ｃに示されるように、指標３２に対応する場所２５および２７に上側層２２の両縁を取り付けてもよい。しかしながら、ユーザがよりきつくフィットすることを所望する場合、代わりに、彼らは、図１０Ｄに示されるように、指標３４に対応する場所２５および２７において上側層２２の両縁に取り付ける。
【００６２】
本発明の第５の実施形態が、図１１Ａおよび１１Ｂに見られる。この実施形態では、上側層は、上に指標３２および３４を有する。上側層２２は、伸縮可能基部層２１の上部の上に位置付けられる。上側層２２は、好ましくは、非弾性である。上側層２２は、場所２５に沿って伸縮可能基部層２１に固定（例えば、縫い付けまたは糊着等）されるが、その自由端において、場所２７に沿って取り外し可能に取り付けられる（例えば、Ｖｅｌｃｒｏ（登録商標）フックおよびループ式ファスナによって）。図１０Ａおよび図１０Ｂの実施形態とは対照的に、図１１Ａおよび図１１Ｂにおける場所２７は、移動しない。代わりに、ユーザは、上側層２２の自由端を切断する。ユーザがより緩くフィットすることを所望する場合、ユーザは、部分Ｒ１を切断および除去し、それによって、上側部分２２の自由端（それに沿って延びる指標３２を有する）を場所２７に設置する。しかしながら、ユーザがバンドにおけるより大きな着圧を所望する場合、ユーザは、代わりに、部分Ｒ１およびＲ２を切り取り、それによって、上側部分２２の自由端（ここで、その自由端に沿って延びる指標３４を有する）を場所２７に設置する。それによって、指標３２および３４は、異なる所定の着圧レベルに対応する。
【００６３】
本発明の第６の実施形態が、図１２Ａおよび図１２Ｂに見られる。この実施形態では、伸縮可能基部層２２は、その上に指標３２、３４、および３６を有する。上側層２２は、伸縮可能基部層２２の上部の上に位置付けられ、伸縮可能基部層に取り付けられる１つの固定端２５と、伸縮可能基部層に取り付けられていない１つの自由端２７を有する。図１２Ａは、張力が印加されていないシステムを示す。この時点において、指標３２、３４、および３６の全ては、１つの自由端２７によってカバーされており、ユーザには不可視である。次に、伸縮可能基部層２２上の指標３２および３４が上側層２１の自由端２７の下から引っ張り出されるように、張力が印加される。この時点において、指標３２および３４は、ユーザに可視である。好ましくは、指標３２の可視性が第１の着圧レベル（例えば、２０ｍｍＨＧ）に対応し、指標３２および３４両方の可視性が第２の着圧レベル（例えば、３０ｍｍＨＧ）に対応し、全３つの指標３２、３４、および３６の可視性が第３の着圧レベル（例えば、４０ｍｍＨＧ）に対応するように、指標３２、３４、および３６の設置は、マークおよび較正される。
【００６４】
本発明の第７の実施形態が、図１３Ａおよび図１３Ｂに見られる。この実施形態では、伸縮可能基部層２１は、２つの平行な指標線３１および３２を有する。上側層２２は、不透明であり、その上側層を横切って延びる指標線３１Ａを有する。任意の張力が印加される前（図１３Ａに見られるように）、指標線３１または３２のいずれも、指標線３１Ａと整列しない。その後、張力がバンド１４に印加された後、指標３２（基部層２１上）および指標３１Ａ（上側層２２上）は、相互に整列する（図１３Ｂに見られるように）。さらにより大きな張力が印加される場合、基部層２１上の指標３１は、上側層２２上の指標３１Ａと整列する。
【００６５】
本発明の第８の実施形態が、図１４Ａおよび図１４Ｂに見られ、上側層２２の端部２５および２７が、伸縮可能基部層２１に取り付けられる。基部層が伸張されると、上側層２２は、最終的に、基部層に接してきつく張るように引っ張られ（図１４Ａ）、それによって、さらなる伸張を制限または防止する。
【図１Ａ】
2015519572.tif 000003
【図１Ｂ】
2015519572.tif 000004
【図２】
2015519572.tif 000005
【図３Ａ】
2015519572.tif 000006
【図３Ｂ】
2015519572.tif 000007
【図４Ａ】
2015519572.tif 000008
【図４Ｂ】
2015519572.tif 000009
【図５】
2015519572.tif 000010
【図６Ａ】
2015519572.tif 000011
【図６Ｂ】
2015519572.tif 000012
【図７Ａ】
2015519572.tif 000013
【図７Ｂ】
2015519572.tif 000014
【図８Ａ】
2015519572.tif 000015
【図８Ｂ】
2015519572.tif 000016
【図９Ａ】
2015519572.tif 000017
【図９Ｂ】
2015519572.tif 000018
【図１０Ａ】
2015519572.tif 000019
【図１０Ｂ】
2015519572.tif 000020
【図１０Ｃ】
2015519572.tif 000021
【図１０Ｄ】
2015519572.tif 000022
【図１１Ａ】
2015519572.tif 000023
【図１１Ｂ】
2015519572.tif 000024
【図１２Ａ】
2015519572.tif 000025
【図１２Ｂ】
2015519572.tif 000026
【図１３Ａ】
2015519572.tif 000027
【図１３Ｂ】
2015519572.tif 000028
【図１４Ａ】
2015519572.tif 000029
【図１４Ｂ】
2015519572.tif 000030
【国際調査報告】
2015519572.tif 000031